(57)【特許請求の範囲】
【請求項１】
台座と、複数の標的と、を有し、
前記標的は、それぞれ、前記台座に支持し得る支持体と前記支持体に固定される標的本体と、から構成され、
前記複数の標的のうち、一の標的は、その支持体が前記台座に係合されることによって、前記台座に対して支持され、
他の標的は、その標的本体の周辺の一部が前記一の標的の標的本体の周辺の一部に係合されることによって、前記一の標的に対して支持される標的装置。
【請求項２】
請求項１において、
前記一の標的の前記標的本体の周辺には、前記他の標的の前記標的本体の側部に形成された凸部が嵌合する凹部と、前記他の標的の前記標的本体の側部に形成された凹部が嵌合する凸部と、が形成されている標的装置。
【請求項３】
請求項１において、
前記標的本体は、前記支持体を備える環状のフレームと、前記フレームに重ねられて取り付けられる環状の枠体と、前記フレームと前記枠体との間に配置される標的シートと、から構成される標的装置。
【請求項４】
請求項３において、
前記標的シートは、紙製および布製のいずれか一方で構成され、
前記フレームに対する前記枠体の取り付けは、前記標的シートの周辺を挟持する嵌合によってなされる標的装置。
【請求項５】
請求項１において、
前記台座は、前記標的の前記支持体を支持する支持部が少なくとも２個備えられ、
前記支持部の一方は、前記標的を前記台座に固定可能であり、前記支持部の他方は、前記標的本体に対象物が命中した際に傾倒可能である標的装置。
【発明の詳細な説明】
【技術分野】
【０００１】
本発明は標的装置に関する。
【背景技術】
【０００２】
たとえば玩具の鉄砲を用いて遊ぶ際の標的装置として、たとえば下記特許文献１に開示されるようなものが知られている。
【０００３】
このような標的装置は、鉄砲の命中によって、標的装置が後方へ傾倒するように構成され、その遊びにおいて興味を増大させるようになっている。
【先行技術文献】
【特許文献】
【０００４】
【特許文献１】特開２００５−２０７７１１号公報
【発明の概要】
【発明が解決しようとする課題】
【０００５】
しかし、上記特許文献１に記載された標的装置は一つの標的を有するものであり、たとえば、複数の標的を並設させ、それらの標的を予め設定した順序で命中させていくという遊びをする場合には、複数の標的装置を予め用意しておく必要が生じる。
【０００６】
この場合、一つの標的を備える標的装置を複数用意して配置させることから、各標的は比較的遠い箇所に配置されてしまい、たとえば近接する各標的にそれぞれ正確に命中させるというような遊びはできないものとなっていた。
【０００７】
本発明は、このような事情に鑑みてなされたものであり、その目的は、簡単な構成で一つの装置において複数の標的を任意の箇所に近接して配置させることができ、射撃の興味を増大させることのできる標的装置を提供することにある。
【課題を解決するための手段】
【０００８】
本発明の標的装置は、台座と、複数の標的と、を有し、標的は、それぞれ、台座に支持し得る支持体と支持体に固定される標的本体と、から構成され、複数の標的のうち、一の標的は、その支持体が台座に係合されることによって、台座に対して支持され、他の標的は、その標的本体の周辺の一部が前記一の標的の標的本体の周辺の一部に係合されることによって、前記一の標的に対して支持される。
【０００９】
本発明の標的装置において、一の標的の標的本体の側部には、他の標的の標的本体の側部に形成された凸部が嵌合する凹部と、他の標的の標的本体の側部に形成された凹部が嵌合する凸部と、が形成されていることが好ましい。
【００１０】
本発明の標的装置において、標的本体は、支持体を備える環状のフレームと、フレームに重ねられて取り付けられる環状の枠体と、フレームと枠体との間に配置される標的シートと、から構成されることが好ましい。
【００１１】
本発明の標的装置において、標的シートは、紙製および布製のいずれか一方で構成され、フレームに対する枠体の取り付けは、標的シートの周辺を挟持する嵌合によってなされることが好ましい。
【００１２】
本発明の標的装置において、台座は、標的の前記支持体を支持する支持部が少なくとも２個備えられ、支持部の一方は、前記標的を前記台座に固定可能であり、前記支持部の他方は、前記標的本体に対象物が命中した際に傾倒可能である。
【発明の効果】
【００１３】
このように構成した標的装置は、簡単な構成で一つの装置において複数の標的を任意の箇所に近接して配置させることができ、射撃の興味を増大させることができるようになる。
【図面の簡単な説明】
【００１４】
【図１】本発明の標的装置の実施形態１における構成を示した図である。
【図２】本発明の標的装置の台座に係合される一の標的を示した構成図である。
【図３】図２のIII−III線における断面図である。
【図４】本発明の標的装置の台座に係合される一の標的に対して他の標的を係合させる場合の説明図である。
【図５】本発明の標的装置の台座における標的支持部の一例を示した構成図である。
【図６】本発明の標的装置の台座における標的支持部の他の例を示した構成図である。
【発明を実施するための形態】
【００１５】
以下、添付図面を参照して、本発明を実施するための形態（以下、実施形態）について詳細に説明する。なお、実施形態の説明の全体を通して同じ要素には同じ番号を付している。
（実施形態１）
図１は、本発明の標的装置の実施形態１における構成を示した図である。なお、図１に示す標的装置１０は、たとえば水鉄砲による射撃の際に用いられる標的装置１０を示している。
【００１６】
図１に示す標的装置１０は、一つの台座２０と、たとえば４個の標的３０とから構成されている。
【００１７】
図１に示すように、各標的３０はたとえば同大・同形からなっている。一つの標的３０（以下において符号３０’を用いる場合がある）は、台座２０に係合されることによって支持され、他の３個の標的３０（以下において符号３０’’を用いる場合がある）は、それぞれの辺の一部が、前記標的３０’の辺のそれぞれに係合されることによって支持されるようになっている。これにより、台座２０に支持される標的３０’に対して他の３個の標的３０’’は、標的３０’とほぼ同一平面内に位置づけられるようになっている。
【００１８】
なお、図１の場合、台座２０に支持される標的３０’に係合される標的３０’’は３個としたものであるが、２個、あるいは１個であってもよく、また、全く無い状態で使用するようにしてもよい。これにより、標的の配列に汎用性をもたせることができるようになる。
【００１９】
図２は、前記標的３０（３０’、３０’’）の構成を示した図である。図２において、標的３０は、前記台座２０に支持し得る支持体３１と前記支持体３１に固定される標的本体３２とから構成されている。
【００２０】
支持体３１は、標的本体３２を固定する側とは反対側の端部において軸体３１Ａが設けられ、この軸体３１を台座２０の標的支持部２１（図１参照）内に係止させることにより、標的３０を台座２０に支持できるようになっている。
【００２１】
標的本体３２は、射撃方向から観た場合にほぼ矩形状（図２では四隅が切り欠かれている）からなり、前記支持体３１にたとえば一体化される環状のフレーム３３と該フレーム３３に重ねられて取り付けられる環状の枠体３４とから構成されている。該枠体３４は射撃方向側からフレーム３３に取り付けられるようになっている。枠体３４はフレーム３３よりも小さな面積で形成され、フレーム３３の前記支持体３１に固定される辺を除く他の３辺において比較的大きな面積で前記枠体３４から露出されるようになっている。これら３辺のそれぞれの露出された面には他の標的３０’’との係合がなされる係合部３５が形成されている。この係合部３５については後述する。
【００２２】
フレーム３３と枠体３４の間には標的シート３６がフレーム３３と枠体３４によって挟持されるようになっている。標的シート３６はシート状のたとえば紙製あるいは布製等から構成され、枠体３４から露出される表面にはたとえば同心円からなる標的マークが描画されている。図２のIII−III線における図３に示すように、フレーム３３には標的シート３６の周辺を囲むようにして突起３３Ａが形成され、この突起３３Ａは枠体３４に形成された凹部３４Ｂに嵌合されることによって、枠体３４はフレーム３３に取り付けられ、これにより、標的シート３６を該フレーム３３と枠体３４との間に挟持できるようになっている。このような構成とすることにより、枠体３４はフレーム３３に対して着脱自在に構成でき、フレーム３３と枠体３４との間には、種々の図形等からなる複数の標的シートを互換的に配置させることができるようになる。
【００２３】
これにより、標的３０には、好みのデザインからなる標的シート３６を選んで組み込ませることができ、射撃の際の興味を増大させることができるようになる。
【００２４】
また、標的本体３２のフレーム３３の辺の一部に形成される係合部３５は、それぞれ、図２に示すように、たとえば、複数の孔部３５Ｈ、突起部３５Ｔが交互に並設されて構成されたものとなっている。このような構成からなる係合部３５は、標的３０’だけでなく、該標的３０’に係合される他の標的３０’’の係合部３５においても同様となっている。係合部３５をこのような構成とすることにより、標的３０の構成を全体的に簡単な構成とすることができる効果を奏する。
【００２５】
係合部３５をこのように構成することによって、たとえば図４に示すように、台座２０（図１参照）に支持させる標的３０’に対し、その図中右側の辺に、他の標的３０’’を支持させる場合、該他の標的３０’’をその支持体３１が上方に向けられた状態にし、該標的３０’の図中右側の辺の係合部３５の孔部３５Ｈに、該他の標的３０’’の図中左側の辺の係合部３５の突起部３５Ｔを嵌合させ、標的３０’に対する標的３０’’の係合を行うことができるようになる。  同様に、図１に示すように、標的３０’の図中右側辺、および図中上側辺においても、同様の要領で、他の標的３０’’を支持させることができるようになっている。これにより、一つの装置（標的装置１０）において複数の標的３０を近接して配置させることができるようになる。
【００２６】
この場合、上述したように、標的３０はいずれも同大・同形で同じものであることから、別種の標的を用意しなくてはならないという煩雑さを回避できる効果を奏する。
【００２７】
図５は、標的３０’が台座２０に支持された状態を示した図である。図５では、標的３０’の支持体３１が台座２０の標的支持部２１に係合され、標的３０’が支持体３１に対して定位置を維持できる場合を示している。このため、たとえ水鉄砲等によって標的３０’に命中がなされても、標的３０’はたとえば後方へ傾倒するようなことなく台座２０に支持されるようになっている。なお、図５は、台座２０に標的３０’のみが支持された状態を示したものであるが、該標的３０’に他の標的３０’’が支持されていてもよい。
【００２８】
しかし、図５の構成に限定されることはなく、標的３０’に命中がなされた場合に、標的３０’がたとえば後方に傾倒するように構成するようにしてもよいことはもちろんである。この場合、標的３０’の支持体３１は、軸体３１Ａ（図２参照）を中心に台座２０に対して回動し得るように構成することによって上述した構成とすることができる。この場合においても、該標的３０’に他の標的３０’’が支持されていてもよい。このようにした場合、一の装置に支持される複数の標的３０のうちの一つでも命中がなされると、それら全ての標的３０が後方に傾倒し、遊びの興味を増大させることができるようになる。
【００２９】
図６は、台座２０において、前後にそれぞれ、標的支持部２１、標的支持部２２を形成し、たとえば２個の標的支持部を備えた構成となっている。標的支持部２１において、図５に示したように、該標的支持部２１に係合された標的３０’は、たとえ水鉄砲等によって標的３０’に命中がなされても、たとえば後方へ傾倒するようなことなく、定位置を維持したまま台座２０に支持されるように構成されている。これに対し、標的支持部２２は、図６に示すように、標的支持部２２において、該標的支持部２２に係合された標的３０’は、水鉄砲等によって命中がなされた場合、たとえば後方へ傾倒できるように台座２０に支持されるように構成されている。なお、図６において、台座２０に標的３０’のみが支持された状態を示したものであるが、該標的３０’に他の標的３０’’が支持されていてもよいことはもちろんである。
【００３０】
このようにした場合、一つの台座２０で、命中によって傾倒することのない標的、あるいは命中によって傾倒する標的を設定できることから、水鉄砲等の遊びにおいて、その興味を増大させることができるようになる。
【００３１】
このように構成した標的装置は、簡単な構成にも拘わらず、一つの装置において複数の標的を任意の箇所に近接して配置させることができ、射撃の興味を増大させることができるようになる。
（実施形態２）
実施形態１では、たとえば水鉄砲による射撃の際に用いられる標的装置を示したものである。しかし、これに限定されず、他の鉄砲、あるいは他の飛び道具の標的装置にも適用できることはいうまでもない。
【００３２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３３】
１０……標的装置、２０……台座、２１……標的支持部、２２……標的支持部（標的の回動可）、３０、３０’、３０’’……標的、３１……支持体、３１Ａ……軸体、３２……標的本体、３３……環状のフレーム、３３Ａ……突起、３４……環状の枠体、３４Ｂ……凹部、３５……係合部、３６……標的シート。
【図１】
0005615890.tif 000002
【図２】
0005615890.tif 000003
【図３】
0005615890.tif 000004
【図４】
0005615890.tif 000005
【図５】
0005615890.tif 000006
【図６】
0005615890.tif 000007